(57)【要約】【課題】  光ディスクを逆回転させてデータを書き込ませる光ディスク装置において、セキュリティをさらに強化できる光ディスク装置を提供する。【解決手段】  光ディスク２１の外周から内周に向けてトラックに沿って逆回転でデータを書き込ませることができ、且つ光ディスク２１の外周から内周に向けてトラックに沿って逆回転でデータを読み出させることができる制御手段３４を具備する光ディスク装置２０において、制御手段３４は、逆回転でデータを書き込む場合には、逆回転で書き込むべきデータの領域管理情報を光ディスク２１の最外周領域１１に光ディスク２１を逆回転させて書き込み、領域管理情報に記載したアドレスに光ディスク２１の外周から内周に向けて光ディスク２１を逆回転させながらデータを書き込むように制御することを特徴とする光ディスク装置。【選択図】        図３
2007226928.tif 000002
【特許請求の範囲】
【請求項１】
トラックが螺旋状に形成された光ディスクにレーザ光を照射する光ピックアップと、
光ディスクを正回転および逆回転の両方向に回転可能なスピンドルモータと、
光ディスクの外周から内周に向けてトラックに沿って逆回転でデータを書き込ませるように光ピックアップとスピンドルモータとを制御することができ、且つ光ディスクの外周から内周に向けてトラックに沿って逆回転でデータを読み出させるように光ピックアップとスピンドルモータとを制御することができる制御手段と、を具備する光ディスク装置において、
制御手段は、
逆回転でデータを書き込む場合には、逆回転で書き込むべきデータの領域管理情報を光ディスクの最外周領域に光ディスクを逆回転させて書き込み、領域管理情報に記載したアドレスにおいて光ディスクの外周から内周に向けて光ディスクを逆回転させながらデータを書き込むように制御することを特徴とする光ディスク装置。
【請求項２】
前記制御手段は、逆回転でデータを書き込む場合には、
イニシャライズ時には光ディスクを正回転させて光ディスクの内周に記録されている光ディスクの容量情報を読み出し、
光ディスクの容量情報に基づいて光ディスクを正回転させながら光ピックアップを光ディスクの最外周領域にシークし、
光ピックアップが最外周領域に到達した後、スピンドルモータを逆回転させて、逆回転で書き込むべきデータの領域管理情報を最外周領域に書き込むように制御することを特徴とする請求項１記載の光ディスク装置。
【請求項３】
前記制御手段は、逆回転でデータを読み出す場合において、逆回転で書き込まれたデータの領域管理情報に記載されたアドレスへシークできないときには、正回転でアドレスを読み出して、逆回転で書き込まれたデータの領域管理情報に記載されたアドレスへシークすることを特徴とする請求項１または請求項２記載の光ディスク装置。
【発明の詳細な説明】
【技術分野】
【０００１】
本発明は、光ディスクを逆回転させてデータを書き込むことおよび逆回転で書き込まれた光ディスクからデータの読み出しができる光ディスク装置に関する。
【背景技術】
【０００２】
データを書き込んだ光ディスクに機密性を持たせたい場合、データの暗号化やデータの復号化を光ディスク装置内で実行させる技術がすでに提案されている（例えば、特許文献１参照）。
【０００３】
また、近年のデータが記録された光ディスクを違法コピーする問題が、音楽業界やゲーム業界などの業界で指摘されている。
このような違法コピーを防止するためのコピープロテクトとして、様々な方法が提案されているが、そのうちのひとつにデータの識別子を光ディスクの所定領域に書き込んでおき、この識別子を読み取らないとコピーした光ディスクからはデータが読み取れないようにしたものもある。
しかし、光ディスク装置の高性能化に伴って、データの識別子ごとコピーされるおそれもあり、上述したようなコピープロテクト方法も完全ではない。
【０００４】
そこで、光ディスクに記録したデータを特定者以外には読み出し不能とするように、光ディスクを逆回転させてデータを書き込む方法がすでに提案されている（例えば、特許文献２参照）。
【０００５】
【特許文献１】特開平１−２２７２７２号公報
【特許文献２】特開２００５−１１６０９９号公報
【発明の開示】
【発明が解決しようとする課題】
【０００６】
上述した特許文献２における技術では、光ディスクを逆回転させて書き込むデータのアドレス情報（領域管理情報）については、従来どおり光ディスクの内周側の所定領域で正回転で書き込むようになっている。
しかし、これでは普通に正回転でイニシャライズを実行すれば、逆回転で書き込んだデータの情報を読み取ることができるので、逆回転で書き込んだデータの存在が明らかになり、セキュリティが完全ではないといった課題がある。
【０００７】
そこで、本発明は、上記課題を解決すべくなされ、その目的とするところは、光ディスクを逆回転させてデータを書き込ませる光ディスク装置において、セキュリティをさらに強化できる光ディスク装置を提供することにある。
【課題を解決するための手段】
【０００８】
本発明にかかる光ディスク装置によれば、トラックが螺旋状に形成された光ディスクにレーザ光を照射する光ピックアップと、光ディスクを正回転および逆回転の両方向に回転可能なスピンドルモータと、光ディスクの外周から内周に向けてトラックに沿って逆回転でデータを書き込ませるように光ピックアップとスピンドルモータとを制御することができ、且つ光ディスクの外周から内周に向けてトラックに沿って逆回転でデータを読み出させるように光ピックアップとスピンドルモータとを制御することができる制御手段と、を具備する光ディスク装置において、制御手段は、逆回転でデータを書き込む場合には、逆回転で書き込むべきデータの領域管理情報を光ディスクの最外周領域に光ディスクを逆回転させて書き込み、続けて光ディスクの外周から内周に向けて光ディスクを逆回転させながらデータを書き込むように制御することを特徴としている。
この構成を採用することによって、通常の正回転しかできない光ディスク装置では、本発明の光ディスク装置で作成された光ディスクから領域管理情報を読み出すことができず逆回転で書き込まれたデータの存在すらわからないので、セキュリティ強度を上げることができる。
【０００９】
また、前記制御手段は、逆回転でデータを書き込む場合には、イニシャライズ時には光ディスクを正回転させて光ディスクの内周に記録されている光ディスクの容量情報を読み出し、光ディスクの容量情報に基づいて光ディスクを正回転させながら光ピックアップを光ディスクの最外周領域にシークし、光ピックアップが最外周領域に到達した後、スピンドルモータを逆回転させて、逆回転で書き込むべきデータの領域管理情報を最外周領域に書き込むように制御することを特徴としている。
この構成を採用することによって、最外周領域へのシークは正回転で行うので、シーク動作を確実に実行することができる。
【００１０】
さらに、前記制御手段は、逆回転でデータを読み出す場合において、逆回転で書き込まれたデータの領域管理情報に記載されたアドレスへシークできないときには、正回転でアドレスを読み出して、逆回転で書き込まれたデータの領域管理情報に記載されたアドレスへシークすることを特徴としてもよい。
すなわち、逆回転でのアドレス取得が困難である場合には、正回転で該当するアドレスへ光ピックアップを移動させるようにして、逆回転で書き込まれたデータの読み出しを容易にすることができる。
【発明の効果】
【００１１】
本発明にかかる光ディスク装置によれば、逆回転で書き込むデータの領域管理情報も光ディスクの最外周領域に逆回転で書き込むので、このように書き込まれた光ディスクは、通常の正回転しかしない光ディスク装置では逆回転で書き込んだデータの存在すら確認できず、セキュリティの強化を図れる。
【発明を実施するための最良の形態】
【００１２】
本発明の光ディスク装置は、図１の概念図に示すように、光ディスク２１を逆回転させてデータ書き込み可能としたものであり、逆回転でデータを書き込む際には、このデータの領域管理情報を光ディスク２１の最外周エリア１１に逆回転で書き込むものである。また、本発明の光ディスク装置２０は、逆回転でデータを書く込むことだけでなく、通常の正回転で光ディスク２１の内周から外周に向かってデータを書き込むことも当然に行える。
さらに、逆回転で書き込まれたデータの読み出しも行うことができる。
【００１３】
本発明の好適な実施形態の構成について、図２に基づいて説明する。
光ディスク装置２０は、光ディスク２１を装着するターンテーブル２３が設けられたスピンドルモータ２２と、光ディスク２１にレーザ光を照射すると共に光ディスク２１から反射されたレーザ光を受光する光ピックアップ２４とを具備している。
【００１４】
スピンドルモータ２２は、正回転および逆回転の両方の向きに回転可能となっている。スピンドルモータ２２としてはブラシレスＤＣモータを使用し、印加する電圧の正負を逆にしたり、あるいは印加する電圧のタイミングを切り換えることにより正回転と逆回転の切換えが可能となっている。
【００１５】
光ピックアップ２４は、レーザ光を出力するレーザダイオード（ＬＤ）２６と、受光素子であるフォトディテクタ（ＰＤ）２８とを有している。また、レーザ光を集光して光ディスク２１の記録層に焦点を合わせるための対物レンズ２９が光ピックアップ２４内には設けられている。
フォトディテクタ２８では、受光面で受けた光強度が電圧値に変換されて光ピックアップ２４の外部に設けられているＲＦアンプ３０に入力される。
光ピックアップ２４は、スレッド軸２７上に配置され、送りモータ２５の駆動により光ディスク２１の径方向に移動する。
【００１６】
また、光ピックアップ２４内のレーザダイオード２６が出力するレーザ光のレーザパワーは、レーザドライバ５８がレーザダイオード２６の駆動電流を制御することによって、調整可能となっている。
レーザダイオード２６は、光ディスク２１にデータを書き込む際には、レーザ光を、高出力のレーザパワーと低出力のレーザパワーとを、書き込むべきデータを２値化したデータに伴って交互に光ディスク２１に向けて照射する。
【００１７】
制御部３４は、予め記憶されている制御プログラムに基づいて動作するＣＰＵ４０、ＲＯＭやＲＡＭ等のメモリ４３から構成されている。
制御部３４の機能について説明する。
制御部３４は、制御プログラムに基づいて、各部材に制御信号を出力することで光ディスク装置２０全体の動作を統括制御する。
【００１８】
制御部３４は、逆回転でデータを書き込み可能となるように各構成を制御する機能と、逆回転で書き込まれたデータを逆回転で読み出し可能となるように各構成を制御する機能とを有している。制御部３４は、このように光ディスク２１を逆回転させてデータを読み書きさせる機能を、メモリ４３内に記憶されている逆回転制御プログラムを読み込んで実行することにより実現している。
【００１９】
逆回転制御プログラムは、ホストコンピュータから送信されてきたコマンドから逆回転でデータを書き込むか逆回転でデータを読み出すかの指示を受けた場合に起動する。
また制御部３４は、光ディスク２１の回転を正回転と逆回転とで切り換える場合には、スピンドルモータ２２の回転方向を切り換える正逆切換信号をスピンドルモータ２２へ出力する。正逆切換信号は、スピンドルモータ２２に接続されている駆動電源の正負を切換えて正回転と逆回転とを切換えるようにしている。
【００２０】
光ディスク装置２０は、インターフェース部５０を介してホストコンピュータ等の外部機器と接続される。ホストコンピュータは、光ディスク２１にデータを書き込む際に実行するアプリケーションソフトであるライトアプリがインストールされている
ユーザは、光ディスク２１にデータを書き込もうとする場合には、ホストコンピュータのライトアプリを起動してライトアプリを操作する。ライトアプリは、ユーザの操作に基づいて、ホストコンピュータから光ディスク装置２０におけるデータの書き込み動作を制御するためのコマンドを出力する。
【００２１】
コマンドはインターフェース部５０を介して制御部３４に入力される。
制御部３４では、ホストコンピュータから送信されたコマンドに基づいて各構成を制御してデータの書き込み動作を実行する。
また、書き込むべきデータは、ホストコンピュータから送信され、インターフェース部５０を介して光ディスク装置２０に入力される。インターフェース部５０から送られてきたデータは、エンコーダ５６に入力される。エンコーダ５６は、データをＥＦＭ変調するＥＦＭ変調機能や、ＥＦＭ変調されたデータをエンコードするエンコード機能が設けられている。
【００２２】
エンコーダ５６で信号処理されたデータは、レーザドライバ５８に入力される。レーザドライバ５８は、光ピックアップ２４内のレーザダイオード２６のレーザ光強度を、書き込むべきデータにあわせて制御する。
【００２３】
ＲＦアンプ３０は、光ピックアップ２４から送られてくる光強度信号を２値化したＲＦ信号を生成するとともに、フォトディテクタ２８の各受光面で受光した光強度の差や和をとることにより、トラッキングエラー信号（ＴＥ信号）およびフォーカスエラー信号（ＦＥ信号）を生成することができる。
【００２４】
また、ＲＦアンプ３０によって得られたＲＦ信号は、デコーダ５２内でデコードや復調がなされる。ＲＦ信号は、デコーダ５２のデコード機能や４０ＥＦＭ復調機能によって、ＣＩＲＣ等の誤り訂正およびＥＦＭ復調がされ、再生信号が得られる。
【００２５】
ＲＦアンプ３０を経てフォーカスエラー信号とトラッキングエラー信号は、サーボプロセッサ３２に入力される。
サーボプロセッサ３２は、フォーカスエラー信号やトラッキングエラー信号に基づき、フォーカスドライブ信号（ＦＤＯ信号）とトラッキングドライブ信号（ＴＤＯ信号）を光ピックアップ２４に出力してフォーカスサーボやトラッキングサーボを制御する。
【００２６】
さらにサーボプロセッサ３２は、制御部３４から入力される制御信号に基づいて、回転制御信号を出力してスピンドルモータ２２の回転を制御し、駆動制御信号を送りモータ２５へ出力して光ピックアップ２４の送り動作を制御する。
【００２７】
制御部３４は、ＲＦ信号からウォブル信号を読み取り、ウォブル信号と書き込むべきデータとの間で同期を取るようにエンコーダ５６を制御する。エンコーダ５６では、書き込むべきデータをウォブル信号に同期させた状態でデータ書き込み可能となるようにレーザドライバ５８にエンコードしたデータを出力する。
【００２８】
次に、本実施形態の光ディスク装置２０の逆回転による書き込み時の動作を、図３に基づいて説明する。
光ディスク装置２０にデータ書き込み可能な光ディスク２１がマウントされると、制御部３４はイニシャライズ動作を実行する（ステップＳ１００）。
イニシャライズにより、制御部３４は光ディスク２１の種類や容量をＡＴＩＰやＡＤＩＰやＬＰＰから正回転で読み出す（ステップＳ１０２）。また、このときトラッキングサーボ、フォーカスサーボ、送りサーボが確立される。
【００２９】
逆回転によりデータを書き込むように指示されたコマンドを制御部３４が受信すると（ステップＳ１０４）、制御部３４は、読み出した光ディスク２１の容量から最外周アドレスを算出する（ステップＳ１０６）。通常の正回転によりデータを書き込むコマンドを制御部３４が受信した場合には、通常の正回転によりデータ書き込みを実行する（ステップＳ１０５）。
【００３０】
制御部３４は、逆回転によりデータを書き込むように指示された場合、算出された最外周アドレスに向けて、光ピックアップ２４を正回転でシークさせる（ステップＳ１０８）。この時のシークは正回転でウォブル信号を基に通常のシークを行う。
【００３１】
光ピックアップ２４が最外周エリアに到達したときに、制御部３４は、確立された各サーボはそのままにして、スピンドルモータ２２の回転のみを逆回転とするように、正逆制御信号を出力する（ステップＳ１１０）。
制御部３４は、光ディスク２１を逆回転させた状態でこの最外周エリアに書き込むべきデータのアドレス情報（特許請求の範囲でいう領域管理情報）を書き込ませる（ステップＳ１１２）。
【００３２】
制御部３４は、アドレス情報書き込み後、スピンドルモータ２２を逆回転させたまま各サーボも確立させたままで、該当するアドレス情報に記載したアドレスにおいてデータを書き込んでいく（ステップＳ１１４）。
【００３３】
なお、本実施形態の光ディスク装置では、正回転でデータを書き込むことも可能である。
したがって、正回転で書き込んだデータと逆回転で書き込んだデータとを光ディスク上で交互に配置することも可能である。このようにすることで、さらに逆回転で書き込んだデータの読み出しを困難にし、セキュリティ強度を上げることができる。
【００３４】
次に、逆回転で書き込まれたデータを読み出す場合における逆回転によるデータの読み出し時の動作を、図４および図５に基づいて説明する。
光ディスク装置２０に逆回転でデータが書き込まれた光ディスク２１がマウントされると、制御部３４はイニシャライズ動作を実行する（ステップＳ２００）。
イニシャライズにより、制御部３４は光ディスク２１の種類や容量をＡＴＩＰやＡＤＩＰやＬＰＰから正回転で読み出す（ステップＳ２０２）。また、このときトラッキングサーボ、フォーカスサーボ、送りサーボが確立される。
【００３５】
逆回転によりデータを読み出すように指示されたコマンドを制御部３４が受信すると（ステップＳ２０４）、制御部３４は、読み出した光ディスクの容量から最外周アドレスを算出する（ステップＳ２０６）。通常の正回転によりデータを読み出すコマンドを制御部３４が受信した場合には、通常の正回転によりデータ読み出しを実行する（ステップＳ２０５）。
【００３６】
制御部３４は、逆回転によりデータを読み出すように指示された場合、算出された最外周アドレスに向けて、光ピックアップ２４を正回転でシークさせる（ステップＳ２０８）。この時のシークは正回転でウォブル信号を基に通常のシークを行う。
【００３７】
光ピックアップ２４が最外周エリアに到達したときに、制御部３４は、確立された各サーボはそのままにして、スピンドルモータ２２の回転のみを逆回転とするように、正逆制御信号を出力する（ステップＳ２１０）。
制御部３４は、光ディスク２１を逆回転させた状態でこの最外周エリアに書き込まれているデータのアドレス情報（特許請求の範囲でいう領域管理情報）を読み出す（ステップＳ２１２）。
【００３８】
制御部３４は、最外周エリアに書き込まれているアドレス情報に基づいて、該当するアドレスまで逆回転データ以外のデータが存在せず、且つ無記録領域が存在しない場合には（ステップＳ２２４のＮＯ）、スピンドルモータ２２を逆回転させたままシークし、逆回転でデータを読み出す（ステップＳ２２４）。シークは、最外周部を０アドレスとすることで実行することができる。
【００３９】
また、逆回転で書き込まれたアドレスへ移行する途中に正回転で書き込まれたデータが存在する場合または無記録領域が存在する場合には（ステップＳ２２４のＹＥＳ）、まず該当アドレス付近へロングジャンプする（ステップＳ２１６）。その後、該当アドレスへはショートジャンプにより到達する（ステップＳ２１８）。
【００４０】
そして、最外周エリアに書き込まれていたアドレス情報に基づくアドレスに光ピックアップ２４が到達すると、逆回転でデータが読み出される（ステップＳ２２４）。
【００４１】
なお、逆回転で書き込まれたデータに到達できなかった場合には（ステップＳ２２０のＮＯ）、制御部３４は、スピンドルモータ２２を正回転させ、正回転によるアドレスを取得して逆回転で書き込まれたデータの位置をシークする（ステップＳ２２２）。そして、正回転によって逆回転で書き込まれたデータの位置をシークできたところで、制御部３４は光ディスク２１を逆回転させ、逆回転でデータを読み出す（ステップＳ２２４）。
【００４２】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４３】
【図１】逆回転のデータ書き込みの概念図である。
【図２】光ディスク装置の内部構成を示すブロック図である。
【図３】逆回転データ書き込みの動作を説明するフローチャートである。
【図４】逆回転データ読み出しの動作を説明するフローチャートである。
【図５】図４の続きのフローチャートである。
【符号の説明】
【００４４】
１１  最外周エリア
２０  光ディスク装置
２１  光ディスク
２２  スピンドルモータ
２３  ターンテーブル
２４  光ピックアップ
２５  送りモータ
２６  レーザダイオード
２７  スレッド軸
２８  フォトディテクタ
２９  対物レンズ
３０  ＲＦアンプ
３２  サーボプロセッサ
３４  制御部
４０  ＣＰＵ
４３  メモリ
５０  インターフェース部
５２  デコーダ
５６  エンコーダ
５８  レーザドライバ
【図１】
2007226928.tif 000003
【図２】
2007226928.tif 000004
【図３】
2007226928.tif 000005
【図４】
2007226928.tif 000006
【図５】
2007226928.tif 000007